(57)【特許請求の範囲】
【請求項１】
下部連結部材により連結した左右の下部前支脚と１本の下部後支脚とより成る支持体と、上部連結部材により連結し、且つ支持体における左右の下部前支脚と１本の下部後支脚に沿って昇降する左右の上部前支脚と１本の上部後支脚を設け、上記上部連結部材上に座を装着して成る可動体と、可動体を昇降させて座の高さを調整する昇降装置とを備えた昇降椅子であって、
上記昇降装置は、支持体における左右の下部前支脚と１本の下部後支脚に設けたラックに、可動体における左右の上部前支脚と上部後支脚に進退自在に設けたロック片の先端をバネの付勢力により係止させ、
座の前部と上部連結部材との間に形成された間隙にロック解除用の操作レバーを前後動可能に装着し、この操作レバーの左右両側から突出させたピンを前記左右の上部前支脚のロック片に遊嵌し、
上部連結部材の後端に設けた左右方向の貫通孔にロック解除用のプッシュボタンを左右動可能に装着し、このプッシュボタンの後側面から後方へ突出させたピンを前記上部後支脚のロック片に遊嵌し、
プッシュボタンの前側には、上部連結部材に前後動可能に装着したロック体を対設し、このロック体にはプッシュボタンの前進を阻止する遮蔽板を突設してなり、
座を装着した上部連結部材を持ちながら操作レバーとプッシュボタンとを同時に操作することにより、各ロック片がラックから離脱するように構成したことを特徴とする昇降椅子。
【発明の詳細な説明】
【技術分野】
【０００１】
本発明は、使用者の座高に応じて座の高さを調整し得る昇降椅子に関するものである。
【背景技術】
【０００２】
本出願人は、座の高さを調整することができる昇降式椅子に係る特許出願をした（特開平２０１２−５０７２１号）。
【０００３】
上記特開平２０１２−５０７２１号の昇降式椅子は、逆Ｕ字型の台盤の両端に樹立した左右の下部前支脚と台盤の後部に樹立した下部後支脚とを下側連結部材により連結してなる支持体と、支持体における左右の下部前支脚と下部後支脚に昇降自在に嵌合した左右一対の上部前支脚と上部後支脚の上端を逆Ｕ字型の肘掛け板により連結し、左右一対の上部前支脚と上部後支脚との下端を上側連結部材により連結し、この連結部材上に座を取付けた可動体と、可動体を昇降させて座の高さを調整する昇降装置とを備えている。
【０００４】
この昇降装置は、座の下側に前向きに突出した操作レバーを操作して、カム板を回動させ、３本のロッドを同時に後退させてその先端を可動ラック（本願のロック片）のロック孔から離脱させ、可動ラックがバネの付勢力によりラックに接しながら摺動し得る状態にした後、両手で可動体を持って昇降させ、座を所望の高さに調整する。高さ調整後、操作レバーを元の位置に戻して３本のロッドを同時に前進させ、その先端を可動ラックのロック孔に嵌入して支持体と可動体とを一体化するものである。
【０００５】
そのため、座の高さを調整する場合、操作レバーにより３本のロッドを同時に進退させた後、操作レバーから手を離し、両手で座とか肘掛けを持って可動体を昇降させ、再び操作レバーを反転して上側の各支脚の昇降をロックしなければならないので、操作が面倒である。また3本のロッドを同時に後退させ、ロッドの先端をラックから外した所謂、ロック解除状態において操作レバーから手を離すと、可動体が自重で落下することがあった。このロック解除状態のとき、誤って座に腰を下ろしたり、肘掛けに体重を掛けるときは、可動体は急激に落下し、思わぬ事故を生ずる虞がある。しかも昇降装置は構成が複雑であり、昇降装置の大部分を金属製にする必要があるため、生産コストが嵩む欠点があった。
【先行技術文献】
【特許文献】
【０００６】
【特許文献１】特開平２０１２−５０７２１号公報
【発明の概要】
【発明が解決しようとする課題】
【０００７】
本発明は、座の高さを容易に調整し且つ安全に使用することができ、しかも生産コストの低減化を図ることができる所謂３本脚の昇降椅子を提供することを目的としている。
【課題を解決するための手段】
【０００８】
本発明に係る請求項１の昇降椅子は、下部連結部材により連結した左右の下部前支脚と１本の下部後支脚とより成る支持体と、上部連結部材により連結し、且つ支持体における左右の下部前支脚と１本の下部後支脚に沿って昇降する左右の上部前支脚と１本の上部後支脚を設け、上記上部連結部材上に座を装着して成る可動体と、可動体を昇降させて座の高さを調整する昇降装置とを備えた昇降椅子であって、
上記昇降装置は、支持体における左右の下部前支脚と１本の下部後支脚に設けたラックに、可動体における左右の上部前支脚と１本の上部後支脚に進退自在に設けたロック片の先端をバネの付勢力により係止させ、
座の前部と上部連結部材との間に形成された間隙にロック解除用の操作レバーを前後動可能に装着し、この操作レバーの左右両側から突出させたピンを前記左右の上部前支脚のロック片に遊嵌し、
上部連結部材の後端に設けた左右方向の貫通孔にロック解除用のプッシュボタンを左右動可能に装着し、このプッシュボタンの後側面から後方へ突出させたピンを前記上部後支脚のロック片に遊嵌し、
プッシュボタンの前側には、上部連結部材に前後動可能に装着したロック体を対設し、このロック体にはプッシュボタンの前進を阻止する遮蔽板を突設してなり、
座を装着した上部連結部材を持ちながら操作レバーとプッシュボタンとを同時に操作することにより、各ロック片がラックから離脱するように構成している。
【０００９】
可動体の各支脚のロック片が、バネの付勢力によって支持体の支脚のラックに係止され、ロック体の遮蔽板により貫通孔が閉鎖され、プッシュボタンが操作できない状態において、先ずロック体を前側、即ちプッシュボタンから離隔する側にスライドさせて貫通孔を開口させ、一方の手で座の前端を支持しながら操作レバーのハンドルを引き、同時に他方の手で座の一側後部を支持しながらプッシュボタンを押して、各ロック片をバネに抗してラックから離脱させ、このロック解除状態を維持しながら可動体を昇降させて座を任意の高さに変更した後、可動体及び操作レバー、プッシュボタンから手を離すと、バネの付勢力により各ロック片はラックに係合し、操作レバー及びプッシュボタンは元の位置に戻って、可動体はロック状態となり、座が所望の高さに保持される。そしてロック体を後側、即ちプッシュボタン側にスライドさせると、遮蔽板により貫通孔が閉鎖され、プッシュボタンの操作は不能となる。尚、特開平２０１２−５０７２１号公報記載のように、ラックに対して複数個の歯を設けた可動ラックの場合と、実用新案登録第３１７２２４４号公報に記載のロック爪の場合がある。
【発明の効果】
【００１０】
本発明に係る請求項１の昇降椅子は、ロック状態において、座の前後を支えながら座の下側に配設した操作レバーとプッシュボタンを同時に操作して可動体を昇降させ、座の高さを調整するものであるから、座の昇降操作が容易であり、しかも座を軽快に昇降させることができる。万一操作レバーとプッシュボタンの片方のみを操作しても座は昇降しないので、前記特開平２０１２−５０７２１号の昇降式椅子のように、可動体が自重で落下することがない。従って操作を間違え易い老人や身障者も安心して使用することができる。またロック体の遮蔽板によりロック状態にするときは、可動体の肘掛け板や背凭れを持って椅子全体を引き上げても、支持体が自重で下降するようなことがないので、椅子を容易に移動することができる。
【００１１】
本発明に係る昇降椅子の昇降装置は、特にロック体によるプッシュボタンの制御機構が簡単であり、しかも昇降装置を安価な木材とかプラスチック製にすることにより、昇降椅子の生産コストの低減化を図ることができる。
【図面の簡単な説明】
【００１２】
【図１】本発明に係る昇降椅子の操作状態を示す説明図である。
【図２】同上実施形態の正面図である。
【図３】同上実施形態の平面図である。
【図４】同上一部縦断側面図である。
【図５】同上一部縦断背面図である。
【図６】図２に示すA―A線の拡大断面図である。
【図７】図４に示すB―B線の拡大断面図である
【図８】図４に示すX部分の拡大図である。
【図９】図５に示すY部分の拡大図である。
【発明を実施するための形態】
【００１３】
以下、本発明に係る昇降椅子の実施形態を図１〜図９を参照して詳細に説明する。
【００１４】
符号１は木製の支持体であり、逆Ｕ字型の台盤２の両端部に下部前支脚３を樹立し、台盤２の後部に下部後支脚４を樹立し、この左右一対の下部前支脚３と下部後支脚４とを、左右方向の水平杆5aと前後方向の水平杆5bとよりなる逆Ｔ字型の下部連結部材５により連結し、且つ左右一対の下部前支脚３と下部後支脚４の上端より、上記下部連結部材５の上方位置まで、内側が開口した縦溝６を形成している。この縦溝６には、左右の突縁8aにより上記開口部７を形成したアルミニュウム製チャンネル（以下アルミ型材という）８を嵌着している。
【００１５】
符号９は木製の可動体であり、上記支持体１における一対の下部前支脚３と１本の下部後支脚４の各アルミ型材８に昇降自在に嵌入した左右一対の上部前支脚１０と１本の上部後支脚１１の上端を平面逆Ｕ字型の肘掛け板１２により連結し、肘掛け板１２の後部及び上部後支脚１１には背凭れ１３を設けている。また上部前支脚１０と上部後支脚１１の下端は、左右方向の水平杆14aと前後方向の水平杆14bとよりなる逆Ｔ字型の上部連結部材１４により連結し、この左右方向の水平杆14aと前後方向の水平杆14ｂの上面には突部14cを形成し、該突部14c上に座１５をネジ等により固定している。
【００１６】
符号Sは昇降装置であり、支持体１における左右の下部前支脚３と、下部後支脚４のアルミ型材８の一側には、全長に亘ってジュラコン（ポリプラスチックス株式会社の登録商標）製で標準歯型のラック１６を設け、可動体９における上部前支脚１０と上部後支脚１１の下部には、ジュラコン製のケース１７を嵌着し、このケース１７内に、先端が下部前支脚３及び下部後支脚４のラック１６に係脱するジュラコン製のロック片１８の上端を軸着し、且つロック片１８の先端を常にケース１７から突出させてラック１６に係合させるバネ１９を付設している。
【００１７】
上部連結部材１４における水平杆14a及び水平杆14bと座１５との間に形成された隙間２０には、ハンドル21aを設けた木製の操作レバー２１を挿入し、該操作レバー２１が前後動し得るように水平杆14a及び水平杆14bから突出した突軸２２に、操作レバー２１に穿設した前後方向の長孔２３を遊嵌している。この操作レバー２１の左右両端にはピン２４を突設し、上部前支脚１０と上部後支脚１１に穿設した前後に長い横孔２５、及びケース１７に穿設した前後に長い横孔２６を通過させ、前記ケース１７内のロック片１８の下部に設けた透孔２７に遊嵌している。
【００１８】
上部連結部材１４における水平杆14bの後端には、左右方向の貫通孔２８を穿設し、該貫通孔２８にプッシュボタン２９を進退自在に貫入し、その後側面より突出したピン２４を、上部後支脚１１に穿設した左右に長い横孔３０、及びケース１７に穿設した左右に長い横孔３１を通過させ、ケース１７内のロック片１８の下部に設けた透孔２７に遊嵌している。
【００１９】
前記水平杆14bの後部には、プッシュボタン２９の可動を阻止する断面逆Ｕ字型のロック体３２を前後にスライド可能に嵌合している。このロック体３２は金属板をプレス加工したものであり、その一端（プッシュボタン２９を指で押圧する側）に切欠き部32aを形成し、反対側（プッシュボタン２９の先端側）に、貫通孔２８を閉鎖する側壁23bを形成している。
【００２０】
尚、ロック片１８は、前記した特開平２０１２−５０７２１号公報に記載のように、ラック１６に係合する複数個の歯を設けた可動ラックにすることもある。
【００２１】
図１に示すように、可動体９が支持体１に固定された状態において、ロック体３２を前側にスライドさせて貫通孔２８を開口させ、一方の手で座１５の前端を支持しながら操作レバー２１のハンドル21aを引き、同時に他方の手で座１５の一側後部を支持しながらプッシュボタン２９を押すと、操作レバー２１の左右のピン２４及びプッシュボタン２９のピン２４に連結された各ロック片１８がバネ１９に抗してラック１６から外れてロック解除の状態になる。そこで両手で支えている座１５を上昇又は下降させ、所望の高さに達したとき、ハンドル21aとプッシュボタン２９から手を離すと、各ロック片１８はバネ１９の付勢力により各ラック１６に係合し、可動体９はロック状態となり、支持体１に固定される。
【００２２】
座１５の高さを調整した後、水平杆１４ｂの後部に進退自在に装着したロック体３２を後側にスライドさせると、ロック体３２に設けた遮蔽板32bにより貫通孔２８の先端が覆われ、プッシュボタン２９の操作が不能となり、完全なロック状態となる。
【００２３】
上記実施形態の昇降椅子は、座１５を装着した上部連結部材14の前後を両手で支えながら座１５の操作レバー２１とプッシュボタン２９を同時に操作して可動体９を昇降させることにより、座１５の高さを調整するものであるから、座の高さを容易に且つ軽快に調整することができ、
使用時に誤って操作レバー２１とプッシュボタン２９の片方を操作することがあっても、座１５の高さが変わることがない。またロック体３２の遮蔽板32bにより、プッシュボタン２９を操作不能にするときは、椅子を持ち上げて安心して移動させることができる。しかも昇降装置Sの大部分の部材を木製とかプラスチック製にしたから、生産コストの低減化を図ることができた。
【００２４】
４        下部後支脚
５        下部連結部材
９        可動体
１０      上部前支脚
１１      上部後支脚
１２      肘掛け板
１３      背凭れ
１４      上部連結部材
１５      座
Ｓ      昇降装置
１６      ラック
１８      ロック片
１９      バネ
２０      隙間
２１      操作レバー
２４      ピン
２８      貫通孔
２９      プッシュボタン
３２      ロック体
【図１】
0006133175.tif 000002
【図２】
0006133175.tif 000003
【図３】
0006133175.tif 000004
【図４】
0006133175.tif 000005
【図５】
0006133175.tif 000006
【図６】
0006133175.tif 000007
【図７】
0006133175.tif 000008
【図８】
0006133175.tif 000009
【図９】
0006133175.tif 000010